(57)【要約】【課題】  移動先で受信可能なチャンネルをより短時間で受信すること。【解決手段】  携帯電話機１０は、指定されたチャンネルに対応する放送波を受信するメインチューナ１１と、その放送波の受信レベルを検出するメインチューナ用検出部１３と、その放送波から取得した系列情報に対応する系列の放送波を受信するサブチューナ１６と、メインチューナ用検出部１３により検出された受信レベルが所定値以下になった場合に、メインチューナ１１により受信される放送波に対応する番組に代えてサブチューナ１６により受信される放送波に対応する番組を出力する番組出力切替部１８とを備える。【選択図】  図１
2008172530.tif 000002
【特許請求の範囲】
【請求項１】
指定されたチャンネルに対応する放送波を受信する第１選局手段と、
前記第１選局手段により受信される放送波の受信レベルを検出する第１選局用検出手段と、
前記第１選局手段により受信された放送波から取得した系列情報に対応する系列の放送波を受信する第２選局手段と、
前記第１選局用検出手段により検出された受信レベルが所定値以下になった場合に、前記第１選局手段により受信される放送波に対応する番組に代えて前記第２選局手段により受信される放送波に対応する番組を出力する切替手段とを備える通信端末。
【請求項２】
前記第２選局手段は、前記第１選局用検出手段により検出された受信レベルが前記所定値よりも大きい閾値以下になった場合に前記系列の放送波を受信する請求項１に記載の通信端末。
【請求項３】
前記系列情報に対応する地域情報と当該地域情報が示す地域に隣接する地域で受信可能な系列を示す隣接地域系列情報とを対応付けて格納する系列情報格納手段と、
前記第１選局手段により受信された放送波から前記地域情報を取得し、当該地域情報に対応する隣接地域系列情報を前記系列情報格納手段から抽出する抽出手段とを更に備え、
前記第２選局手段は、前記抽出手段により抽出された隣接地域系列情報が示す系列の放送波を受信する請求項１又は２に記載の通信端末。
【請求項４】
前記第２選局手段により受信される放送波の受信レベルを検出する第２選局用検出手段を更に備え、
前記所定値は、前記第２選局用検出手段により検出された受信レベルである請求項１〜３のいずれか一項に記載の通信端末。
【請求項５】
前記切替手段は、前記第２選局手段により受信される放送波に対応する番組を出力するとともに前記第１選局手段による受信を中断する請求項１〜４のいずれか一項に記載の通信端末。
【請求項６】
チャンネルを識別するチャンネル情報を含むチャンネルリストを一又は複数格納するリスト格納手段と、
前記切替手段によりチャンネルが切り替えられた場合に、前記リスト格納手段により格納されている一又は複数のチャンネルリストから、前記切替手段により切り替えられたチャンネルに対応するチャンネル情報を含むチャンネルリストを抽出し、当該チャンネルリストを現在受信可能なチャンネルリストと決定するリスト決定手段とを更に備える請求項１〜５のいずれか一項に記載の通信端末。
【請求項７】
通信端末が、指定されたチャンネルに対応する放送波を受信する第１選局ステップと、
前記通信端末が、前記第１選局ステップにおいて受信される放送波の受信レベルを検出する第１選局用検出ステップと、
前記通信端末が、前記第１選局ステップにおいて受信された放送波から取得した系列情報に対応する系列の放送波を受信する第２選局ステップと、
前記通信端末が、前記第１選局用検出ステップにおいて検出された受信レベルが所定値以下になった場合に、前記第１選局ステップにおいて受信される放送波に対応する番組に代えて前記第２選局ステップにおいて受信される放送波に対応する番組を出力する切替ステップとを備えるチャンネル切替方法。
【発明の詳細な説明】
【技術分野】
【０００１】
本発明は、通信端末及びチャンネル切替方法に関するものである。
【背景技術】
【０００２】
放送波を受信可能な機器を他の場所に移動すると、受信可能なチャンネルが変化する場合がある。この場合、移動先で受信可能なチャンネルをその機器が受信できるようにチャンネル設定を変更する必要がある。このようなチャンネルの再設定を行う技術は従来から知られている。例えば、下記特許文献１には、第２受信手段が放送信号を全周波数でスキャンして各周波数の受信強度を検出し、第１受信手段がその検出結果に基づいて受信可能なチャンネルのみをスキャンする地上デジタル放送受信機が記載されている。現在、携帯電話機などの移動通信端末に向けて番組を放送するワンセグメント放送が行われているが、上記地上デジタル放送受信機の手法は移動通信端末にも実装可能である。
【特許文献１】特開２００６−１３９４５号公報
【発明の開示】
【発明が解決しようとする課題】
【０００３】
しかしながら、上記特許文献１に記載の地上デジタル放送受信機では、放送信号を一旦全周波数でスキャンする必要があるため、受信可能なチャンネルを抽出するために長い時間を要してしまう。移動通信端末に上記手法を採用した場合、チャンネル体系が異なる地域にその移動通信端末が移されると、その移動通信端末が移動先で受信可能なチャンネルを即時に受信できず、移動通信端末の使用者が一時的に番組を視聴できなくなるなどのおそれがある。
【０００４】
本発明は、上記課題を解決する為になされたものであり、移動先で受信可能なチャンネルをより短時間で受信することが可能な通信端末及びチャンネル切替方法を提供することを目的とする。
【課題を解決するための手段】
【０００５】
本発明の通信端末は、指定されたチャンネルに対応する放送波を受信する第１選局手段と、第１選局手段により受信される放送波の受信レベルを検出する第１選局用検出手段と、第１選局手段により受信された放送波から取得した系列情報に対応する系列の放送波を受信する第２選局手段と、第１選局用検出手段により検出された受信レベルが所定値以下になった場合に、第１選局手段により受信される放送波に対応する番組に代えて第２選局手段により受信される放送波に対応する番組を出力する切替手段とを備える。
【０００６】
また、本発明のチャンネル切替方法は、通信端末が、指定されたチャンネルに対応する放送波を受信する第１選局ステップと、前記通信端末が、前記第１選局ステップにおいて受信される放送波の受信レベルを検出する第１選局用検出ステップと、前記通信端末が、前記第１選局ステップにおいて受信された放送波から取得した系列情報に対応する系列の放送波を受信する第２選局ステップと、前記通信端末が、前記第１選局用検出ステップにおいて検出された受信レベルが所定値以下になった場合に、前記第１選局ステップにおいて受信される放送波に対応する番組に代えて前記第２選局ステップにおいて受信される放送波に対応する番組を出力する切替ステップとを備える。
【０００７】
このような通信端末及びチャンネル切替方法によれば、第１選局手段により（第１選局ステップにおいて）受信された放送波に対応する系列（放送系列）の放送波が第２選局手段により（第２選局ステップにおいて）受信される。そして、第１選局手段での受信レベルが所定値以下になった場合に、第１選局手段により受信される放送波に対応する番組に代えて第２選局手段により受信される放送波に対応する番組が出力される。このように、番組の出力を切り替える前に、予め切替後のチャンネルを選局しそのチャンネルに対応する放送波を受信しておくことで、移動先で受信可能なチャンネルをより短時間で受信することができる。また、第１選局手段での受信レベルが所定値以下になったときにチャンネルが切り替えられるので、切替前の受信レベルよりも切替後の受信レベルを高くすることが可能となる。その結果、番組を一定以上の品質で通信端末の使用者に提供することができる。
【０００８】
本発明の通信端末では、第２選局手段は、第１選局用検出手段により検出された受信レベルが所定値よりも大きい閾値以下になった場合に系列の放送波を受信することが好ましい。
【０００９】
この場合、第１選局手段での受信レベルが所定値よりも大きい閾値以下になって初めて第２選局手段により放送波が受信される。言い換えれば、切替後のチャンネルに対応する放送波を予め受信しておく必要が生じたときに、第２選局手段によって放送波が受信される。これにより、第２選局手段による放送波の受信の時期を適切に設定することが可能になり、通信端末の消費電力を低減することができる。
【００１０】
本発明の通信端末では、前記系列情報に対応する地域情報と当該地域情報が示す地域に隣接する地域で受信可能な系列を示す隣接地域系列情報とを対応付けて格納する系列情報格納手段と、前記第１選局手段により受信された放送波から前記地域情報を取得し、当該地域情報に対応する隣接地域系列情報を前記系列情報格納手段から抽出する抽出手段とを更に備え、前記第２選局手段は、前記抽出手段により抽出された隣接地域系列情報が示す系列の放送波を受信することが好ましい。
【００１１】
この場合、第１選局手段により受信された放送波から地域情報が取得され、その地域情報に対応する隣接地域系列情報が抽出される。そして、第２選局手段は、その隣接地域系列情報が示す系列の放送波を受信する。これにより、第２選局手段が受信しようとする放送波に対応する系列の候補を予め隣接地域で受信可能なものに絞り込むことができるので、第２選局手段が受信しようとする放送波をより早く決定することが可能になる。その結果、移動先で受信可能なチャンネルをより短時間で受信することができる。
【００１２】
本発明の通信端末では、第２選局手段により受信される放送波の受信レベルを検出する第２選局用検出手段を更に備え、所定値は、第２選局用検出手段により検出された受信レベルであることが好ましい。
【００１３】
この場合、第１選局手段での受信レベルが第２選局手段での受信レベル以下になった場合に番組の出力が切り替えられる。これにより、第１選局手段及び第２選局手段のうち受信レベルが高い方、すなわち受信する放送波の品質が良い方のチャンネルを動的に選択することが可能となるので、通信端末周辺の電波環境などに応じて、放送波による番組を一定以上の品質で通信端末の使用者に提供することができる。
【００１４】
本発明の通信端末では、切替手段は、第２選局手段により受信される放送波に対応する番組を出力するとともに第１選局手段による受信を中断することが好ましい。
【００１５】
この場合、番組の出力が切り替えられると、第１選局手段による放送波の受信が中断される。これにより、第１選局手段が放送波を処理するために消費する電力が節約されるので、通信端末の消費電力を低減することが可能になる。
【００１６】
本発明の通信端末では、チャンネルを識別するチャンネル情報を含むチャンネルリストを一又は複数格納するリスト格納手段と、切替手段によりチャンネルが切り替えられた場合に、リスト格納手段により格納されている一又は複数のチャンネルリストから、切替手段により切り替えられたチャンネルに対応するチャンネル情報を含むチャンネルリストを抽出し、当該チャンネルリストを現在受信可能なチャンネルリストと決定するリスト決定手段とを更に備えることが好ましい。
【００１７】
この場合、決定されたチャンネルに対応するチャンネル情報に基づいて、一又は複数のチャンネルリストからそのチャンネル情報を含むチャンネルリストが抽出され、そのチャンネルリストが現在受信可能なチャンネルリストと決定される。これにより、移動先に対応するチャンネルリストをデフォルトのものとして設定することが可能になるので、通信端末の使用者は、移動先のチャンネルリストに基づいて簡単に選局することができる。
【発明の効果】
【００１８】
このような通信端末及びチャンネル切替方法によれば、移動先で受信可能なチャンネルをより短時間で受信することができる。
【発明を実施するための最良の形態】
【００１９】
以下、添付図面を参照しながら本発明の実施形態を詳細に説明する。なお、図面の説明において同一又は同等の要素には同一の符号を付し、重複する説明を省略する。
【００２０】
まず、図１を用いて、実施形態に係る携帯電話機１０について説明する。図１は、実施形態に係る携帯電話機１０の機能構成を示す図である。携帯電話機１０は、放送施設３１及び３２から発信されたテレビ番組の放送波をそれぞれ受信し、受信した放送波のうちの一方に対応するテレビ番組を表示することができる。なお、携帯電話機１０がテレビ番組を受信する形態はこれに限定されず、例えば、携帯電話機１０がインターネットなどの通信回線を介して配信されるテレビ番組を受信してもよい。
【００２１】
携帯電話機１０は、機能的構成要素としてメインチューナ（第１選局手段）１１、表示部１２、メインチューナ用検出部（第１選局用検出手段）１３、系列情報格納部（系列情報格納手段）１４、隣接地域系列情報抽出部（抽出手段）１５、サブチューナ（第２選局手段）１６、サブチューナ用検出部（第２選局用検出手段）１７、番組出力切替部（切替手段）１８、チャンネルリスト格納部（リスト格納手段）１９及びチャンネルリスト決定部（リスト決定手段）２０を備えている。
【００２２】
メインチューナ１１は、指定されたチャンネルを選局し、そのチャンネルに対応する放送波をアンテナＡＮＴを介して受信する。そして、メインチューナ１１は、受信した放送波を復号し、復号された信号（テレビ番組のデータ）を表示部１２、メインチューナ用検出部１３及び隣接地域系列情報抽出部１５に出力する。また、メインチューナ１１は、番組出力切替部１８から停止指示信号が入力された場合に、復号された信号を表示部１２に出力することを停止する。なお、メインチューナ１１が選局するチャンネルには、携帯電話機１０の使用者が入力部（図示せず）を介して指定したチャンネルや、携帯電話機１０の他の機能的構成要素から入力されたチャンネルなどが該当する。以下では、メインチューナ１１が携帯電話機１０の使用者により指定されたチャンネルを選局したことを前提として、携帯電話機１０の各機能的構成要素について説明する。
【００２３】
表示部１２は、メインチューナ１１又はサブチューナ１６から入力されたテレビ番組のデータを処理して、そのテレビ番組を画面に表示する。これにより、携帯電話機１０の使用者は、テレビ番組を視聴することができる。
【００２４】
メインチューナ用検出部１３は、メインチューナ１１から入力された信号を解析することで、メインチューナ１１により受信された放送波の受信レベルを検出する。そして、メインチューナ用検出部１３は、検出した受信レベルをサブチューナ１６及び番組出力切替部１８に出力する。
【００２５】
系列情報格納部１４は、放送波を受信可能な地域を示す地域情報と、その地域に隣接する地域（以下「隣接地域」という）を示す隣接地域情報と、その隣接地域で受信可能な放送系列を示す隣接地域系列情報とを対応付けて格納する。このために、系列情報格納部１４は、隣接地域テーブル１４ａ及び系列テーブル１４ｂを有している。隣接地域テーブル１４ａには、地域情報と隣接地域情報とが対応付けられて格納されている。一方、系列テーブル１４ｂには、地域情報と、放送系列を識別する系列ＩＤと、物理チャンネルと、サービスを識別するためのサービスＩＤとが対応付けられて格納されている。本実施形態では、隣接地域系列情報は、系列ＩＤと、物理チャンネルと、サービスＩＤとを含む。
【００２６】
図２は、隣接地域テーブル１４ａを示す図である。この隣接地域テーブル１４ａには、例えば、地域情報「地域Ａ」と、隣接地域情報「地域Ｂ」及び「地域Ｃ」とが対応付けられて格納されている。図３は、系列テーブル１４ｂを示す図である。この系列テーブル１４ｂでは、例えば、地域情報「地域Ａ」と、系列ＩＤ「系列ａ」と、物理チャンネル「２１ｃｈ」と、サービスＩＤ「０００１」とが対応付けられて格納されている。
【００２７】
隣接地域系列情報抽出部１５は、メインチューナ１１から入力されたテレビ番組のデータから地域情報を取得し、その地域情報に対応する隣接地域系列情報を抽出する。このために、隣接地域系列情報抽出部１５は、まず、テレビ番組のデータから物理チャンネル、系列ＩＤ及びサービスＩＤを取得し、これら物理チャンネル、系列ＩＤ及びサービスＩＤに対応する地域情報を系列テーブル１４ｂから抽出する。次に、隣接地域系列情報抽出部１５は、抽出された地域情報に対応する隣接地域情報を隣接地域テーブル１４ａから取得する。そして、隣接地域系列情報抽出部１５は、取得した隣接地域情報及び取得済みの系列ＩＤの双方と対応する系列情報、すなわち隣接地域系列情報を系列テーブル１４ｂから取得し、その隣接地域系列情報をサブチューナ１６に出力する。
【００２８】
例えば、隣接地域系列情報抽出部１５がテレビ番組のデータから系列ＩＤ「系列ｂ」、物理チャンネル「２５ｃｈ」及びサービスＩＤ「０００５」を取得した場合、隣接地域系列情報抽出部１５は、系列テーブル１４ｂからそれら系列ＩＤ、物理チャンネル及びサービスＩＤに対応する地域情報「地域Ａ」を抽出する。次に、隣接地域系列情報抽出部１５は、隣接地域テーブル１４ａからその地域情報「地域Ａ」に対応する隣接地域情報「地域Ｂ」及び「地域Ｃ」を取得する。
【００２９】
そして、隣接地域系列情報抽出部１５は、取得した隣接地域情報「地域Ｂ」及び取得済みの系列ＩＤ「系列ｂ」の双方と対応する隣接地域系列情報（系列ＩＤ「系列ｂ」と、物理チャンネル「３９ｃｈ」と、サービスＩＤ「００９２」とを含む隣接地域系列情報）と、隣接地域情報「地域Ｃ」及び系列ＩＤ「系列ｂ」の双方と対応する隣接地域系列情報（系列ＩＤ「系列ｂ」と、物理チャンネル「３２ｃｈ」と、サービスＩＤ「２００６」とを含む隣接地域系列情報）を系列テーブル１４ｂから取得する。最後に、隣接地域系列情報抽出部１５は、これら二の隣接地域系列情報をサブチューナ１６に出力する。
【００３０】
サブチューナ１６は、メインチューナ用検出部１３から入力された受信レベルが所定の閾値以下である場合に、隣接地域系列情報抽出部１５から入力された隣接地域系列情報に含まれるチャンネルを選局し、そのチャンネルに対応する放送波をアンテナＡＮＴを介して受信する。そして、サブチューナ１６は、受信した放送波を復号し、復号された信号（テレビ番組のデータ）をサブチューナ用検出部１７に出力する。また、サブチューナ１６は、番組出力切替部１８から出力指示信号が入力された場合に、復号された信号を表示部１２に出力する。
【００３１】
ここで、所定の閾値とは、近い将来にメインチューナ１１が放送波を良好に受信できなくなると予想される時点での、メインチューナ１１により受信される放送波の受信レベルである。したがって、この閾値は、メインチューナ１１により受信される放送波に対応する番組に代えてサブチューナ１６により受信される放送波に対応する番組を表示部１２に出力する時点におけるメインチューナ１１での受信レベルよりも高く設定されることが好ましい。このように閾値を設定することで、番組の出力を切り替えることが好ましい時よりも前に、サブチューナ１６によって予め放送波を受信しておくことが可能になる。
【００３２】
隣接地域情報「地域Ｂ」についての隣接地域系列情報（系列ＩＤ「系列ｂ」と、物理チャンネル「３９ｃｈ」と、サービスＩＤ「００９２」とを含む隣接地域系列情報）と、隣接地域情報「地域Ｃ」についての隣接地域系列情報（系列ＩＤ「系列ｂ」と、物理チャンネル「３２ｃｈ」と、サービスＩＤ「２００６」とを含む隣接地域系列情報）とが隣接地域系列情報抽出部１５からサブチューナ１６に入力された場合を例に説明する。この場合、サブチューナ１６は、まず、物理チャンネル「３９ｃｈ」を選局し、このチャンネルに対応する放送波を受信する。そして、サブチューナ１６がその放送波を受信できた場合、サブチューナ１６は、物理チャンネル「３９ｃｈ」を選局した状態を維持する。これに対し、サブチューナ１６が物理チャンネル「３９ｃｈ」に対応する放送波を受信できなかった場合、サブチューナ１６は、物理チャンネル「３２ｃｈ」に対応する放送波を受信し、その放送波を受信できた場合に、物理チャンネル「３２ｃｈ」を選局した状態を維持する。
【００３３】
このように、サブチューナ１６は、隣接地域系列情報が示す系列ＩＤ「系列ｂ」の放送波を受信する。サブチューナ１６に入力される隣接地域系列情報に含まれる系列ＩＤは、メインチューナ１１により受信及び復号された放送波から取得した系列ＩＤ（系列情報）であるから、サブチューナ１６は、メインチューナ１１により受信された放送波から取得した系列情報に対応する系列の放送波を受信する部分であるといえる。
【００３４】
サブチューナ用検出部１７は、サブチューナ１６から入力された信号を解析することで、サブチューナ１６により受信された放送波の受信レベルを検出する。そして、サブチューナ用検出部１７は、検出した受信レベルを番組出力切替部１８に出力する。
【００３５】
番組出力切替部１８は、メインチューナ用検出部１３から入力された受信レベル（メインチューナ１１により受信された放送波の受信レベル）と、サブチューナ用検出部１７から入力された受信レベル（サブチューナ１６により受信された放送波の受信レベル）とに基づいて、メインチューナ１１が受信している放送波に対応する番組に代えてサブチューナ１６が受信している放送波に対応する番組を表示部１２に出力する。このために、番組出力切替部１８は、表示部１２への信号の出力を指示するための出力指示信号をサブチューナ１６に出力するとともに表示部１２への信号の出力を停止するための停止指示信号をメインチューナ１１に出力する。また、番組出力切替部１８は、番組の出力を切り替えた後に、サブチューナ１６が現に選局しているチャンネルに関する情報（隣接地域系列情報）をサブチューナ１６から取得し、その情報をチャンネルリスト決定部２０に出力する。
【００３６】
番組出力切替部１８が出力指示信号及び停止指示信号を出力することにより、メインチューナ１１に代えてサブチューナ１６からテレビ番組のデータが表示部１２に入力される。このことは、サブチューナ１６により受信される放送波に対応する番組が携帯電話機１０の使用者に提供されるとともにメインチューナ１１により受信される放送波に対応する番組の提供が中断されることを意味する。例えば、メインチューナ１１が放送施設３１から発信された放送波を受信し、サブチューナ１６が放送施設３２から発信された放送波を受信していた場合、放送施設３１から発信された放送波に対応する番組に代えて、放送施設３２から発信された放送波に対応する番組が携帯電話機１０の使用者に提供される。
【００３７】
番組出力切替部１８は、番組の出力を切り替えるか否かを判断するために、メインチューナ用検出部１３から入力された受信レベルとサブチューナ用検出部１７から入力された受信レベルとを比較する。そして、メインチューナ用検出部１３から入力された受信レベルがサブチューナ用検出部１７から入力された受信レベル以下である場合に、番組の出力を切り替える。
【００３８】
チャンネルリスト格納部１９は、チャンネルを識別するチャンネル情報を含むチャンネルリストを一又は複数格納する。ここで、チャンネル情報とは、系列ＩＤと、物理チャンネルと、サービスＩＤとが対応付けられたものである。
【００３９】
図４は、チャンネルリストの例を示す図である。ここでは、チャンネルリストＡ〜Ｃが示されており、各チャンネルリストが二のチャンネル情報を含んでいる。例えば、チャンネルリストＡは、系列ＩＤ「系列ａ」、物理チャンネル「２１ｃｈ」及びサービスＩＤ「０００１」が対応付けられたチャンネル情報と、系列ＩＤ「系列ｂ」、物理チャンネル「２５ｃｈ」及びサービスＩＤ「０００５」が対応付けられたチャンネル情報とを含んでいる。
【００４０】
なお、本実施形態では、チャンネルリスト格納部１９と系列テーブル１４ｂとが設けられており、チャンネルリストに含まれるチャンネル情報と系列テーブル１４ｂに含まれる隣接地域系列情報とは同じ構成である。したがって、チャンネルリスト格納部１９と系列テーブル１４ｂとが一つに統合されていてもよい。例えば、チャンネルリスト格納部１９に格納されるチャンネルリストのそれぞれに地域情報を対応付けることで、チャンネルリスト格納部１９が系列テーブル１４ｂの役割も担うように設定し、系列テーブル１４ｂを設けないようにしてもよい。
【００４１】
チャンネルリスト決定部２０は、番組出力切替部１８から入力される隣接地域系列情報（チャンネル情報）を用いて、チャンネルリスト格納部１９に格納されているチャンネルリストからそのチャンネル情報を含むチャンネルリストを抽出する。そして、チャンネルリスト決定部２０は、一のチャンネルリストを現在受信可能なチャンネルリストとして決定する。ここで、現在受信可能なチャンネルリストとは、携帯電話機１０の使用者が視聴するテレビ番組（チャンネル）を選択する際の選択肢として提供されるチャンネルリストである。例えば、現在受信可能なチャンネルリストを表示部１２に表示し、携帯電話機１０の使用者にチャンネルを選択させることが可能になる。
【００４２】
例えば、チャンネルリスト格納部１９に格納されているチャンネルリストが図４に示すものであり、系列ＩＤ「系列ｂ」と、物理チャンネル「３９ｃｈ」と、サービスＩＤ「００９２」とが対応付けられた隣接地域系列情報が番組出力切替部１８から入力された場合、チャンネルリスト決定部２０は、その隣接地域系列情報を含むチャンネルリストＢを抽出し、チャンネルリストＢを現在受信可能なチャンネルリストと決定する。
【００４３】
しかし、抽出されたチャンネルリストが複数の場合には、一のチャンネルリストを決定する必要がある。一のチャンネルリストを決定するために、以下の処理が繰り返し実行される。
【００４４】
抽出されたチャンネルリストが複数の場合、チャンネルリスト決定部２０は、まず、自身が抽出した複数のチャンネルリスト同士を物理チャンネル毎に比較してこれらチャンネルリスト間の差分を導出する。そして、チャンネルリスト決定部２０は、番組の提供を中断しているメインチューナ１１に対して、導出した差分に対応する物理チャンネルを選局させるための指示信号を出力する。このとき、メインチューナ１１は、その指示信号に従ってチャンネルを選局して放送波を受信・復号し、復号された信号をチャンネルリスト決定部２０に出力する。その後、チャンネルリスト決定部２０は、メインチューナ１１から入力された信号からチャンネル情報を抽出し、抽出済みのチャンネルリストからそのチャンネル情報を含むチャンネルリストを抽出する。
【００４５】
次に、図５を用いて、図１に示す携帯電話機１０の動作を説明するとともに本実施形態に係るチャンネル切替方法について説明する。図５は、図１に示す携帯電話機１０の動作を示すフローチャートである。
【００４６】
まず、入力部（図示せず）を介して指定されたチャンネルに対応する放送波がメインチューナ１１により受信され（ステップＳ１１、第１選局ステップ）、その放送波の受信レベルがメインチューナ用検出部１３によって検出される（ステップＳ１３、第１選局用検出ステップ）。そして、検出された受信レベルが閾値以下である場合に（ステップＳ１５；ＹＥＳ）、サブチューナによる選局処理が行われる（ステップＳ１７、第２選局ステップ）。
【００４７】
この選局処理によりサブチューナがチャンネルを保持できた場合、すなわち、放送波を受信できた場合には（ステップＳ１９；ＹＥＳ）、メインチューナ用検出部１３においてメインチューナ１１により受信された放送波の受信レベルが検出されるとともに、サブチューナ用検出部１７においてサブチューナ１６により受信された放送波の受信レベルが検出される（ステップＳ２１）。そして、メインチューナ１１での受信レベルがサブチューナ１６での受信レベル以下になった場合に（ステップＳ２３；ＹＥＳ）、番組出力切替部１８によって、メインチューナ１１により受信される放送波に対応する番組に代えてサブチューナ１６により受信される放送波に対応する番組が表示部１２に出力される（ステップＳ２５、切替ステップ）。なお、メインチューナ１１での受信レベルがサブチューナ１６での受信レベルよりも大きい間は（ステップＳ２３；ＮＯ）、両チューナの受信レベルの検出及び比較が繰り返し行われる。
【００４８】
番組の出力が切り替えられると、番組出力切替部１８からメインチューナ１１に出力される停止指示信号によりメインチューナ１１が停止される（ステップＳ２７）。すなわち、メインチューナ１１により受信される放送波に対応する番組の提供が中断される。その後、チャンネルリスト切替処理が行われる（ステップＳ２９）。
【００４９】
これに対して、サブチューナ１６による選局処理においてサブチューナ１６がチャンネルを保持できなかった場合には（ステップＳ１９；ＮＯ）、サブチューナ１６が停止される（ステップＳ３１）。
【００５０】
なお、メインチューナ１１からの信号（テレビ番組のデータ）に代えてサブチューナ１６からの信号（テレビ番組のデータ）が表示部１２に入力され、現在受信可能なチャンネルリストが決定された後は、サブチューナ１６がメインチューナ１１として機能するとともに、メインチューナ１１がサブチューナ１６として機能する。
【００５１】
次に、図６を用いて、サブチューナによる選局処理を説明する。図６は、図５に示すサブチューナによる選局処理の詳細を示すフローチャートである。
【００５２】
サブチューナによる選局処理では、まず、サブチューナ１６が起動される（ステップＳ１７１）。その後、隣接地域系列情報抽出部１５により、テレビ番組のデータ（メインチューナ１１が受信した放送波）から系列情報が取得され（ステップＳ１７２）、その系列情報に対応する地域情報が取得され（ステップＳ１７３）、その地域情報に対応する隣接地域系列情報が取得される（ステップＳ１７４）。そして、サブチューナ１６により、その隣接地域系列情報に対応するチャンネルが選局される（ステップＳ１７５）。ここで、サブチューナ１６がそのチャンネルに対応する放送波を受信できた場合には（ステップＳ１７６；ＹＥＳ）、そのチャンネルがサブチューナ１６によって保持される（ステップＳ１７７）。
【００５３】
これに対し、選局されたチャンネルに対応する放送波が受信できなかった場合には（ステップＳ１７６；ＮＯ）、未確認のチャンネルが存在するか否かが判断される（ステップＳ１７８）。ここで、未確認のチャンネルが存在すれば（ステップＳ１７８；ＹＥＳ）、そのチャンネルの選局及び受信が行われ、そのようなチャンネルが存在しなければ（ステップＳ１７８；ＮＯ）、サブチューナによる選局処理を終了する。
【００５４】
次に、図７を用いて、チャンネルリスト切替処理を説明する。図７は、図５に示すチャンネルリスト切替処理の詳細を示すフローチャートである。
【００５５】
チャンネルリスト切替処理では、まず、チャンネルリスト決定部２０において、隣接地域系列情報を用いてチャンネルリストが抽出される（ステップＳ２９１）。ここで抽出されたチャンネルリストが１件であれば（ステップＳ２９２；ＹＥＳ）、そのチャンネルリストが現在のチャンネルリストと決定される（ステップＳ２９３）。
【００５６】
これに対し、抽出されたチャンネルリストの件数が複数であれば（ステップＳ２９２；ＮＯ）、チャンネルリスト決定部２０において、抽出されたチャンネルリスト間の差分が導出され（ステップＳ２９４）、メインチューナ１１においてその差分に対応する物理チャンネルが選局される（ステップＳ２９５）。ここで、その物理チャンネルに対応する放送波を受信できた場合には（ステップＳ２９６；ＹＥＳ）、メインチューナ１１によりその放送波からチャンネル情報が取得され（ステップＳ２９７）、チャンネルリスト決定部２０においてそのチャンネル情報を含むチャンネルリストが抽出される（ステップＳ２９８）。ここで、抽出されたチャンネルリストの件数が１件であれば（ステップＳ２９９；ＹＥＳ）、そのチャンネルリストが現在のチャンネルリストと決定される（ステップＳ３００）。
【００５７】
一方、抽出されたチャンネルリストの件数が複数であれば（ステップＳ２９９；ＮＯ）、抽出されたチャンネルリスト間の差分を導出する処理（ステップＳ２９４）に戻る。なお、差分に対応する物理チャンネルに対応する放送波を受信できなかった場合には（ステップＳ２９６；ＮＯ）、その差分に含まれる未選局の物理チャンネルが存在するか否かが判断される（ステップＳ２８１）。ここで、未選局の物理チャンネルが存在すれば（ステップＳ２８１；ＹＥＳ）、メインチューナ１１によりその物理チャンネルが選局され（ステップＳ２９５）、以降の処理が繰り返される。これに対し、未選局の物理チャンネルが存在しなければ（ステップＳ３０１；ＮＯ）、チャンネルリスト切替処理が終了する。
【００５８】
本実施形態に係る携帯電話機１０によれば、メインチューナ１１により受信された放送波に対応する放送系列の放送波がサブチューナ１６により受信される。そして、メインチューナ１１での受信レベルが所定値以下になった場合に、メインチューナ１１により受信される放送波に対応する番組に代えてサブチューナ１６により受信される放送波に対応する番組が出力される。このように、番組の出力を切り替える前に、予め切替後のチャンネルを選局しそのチャンネルに対応する放送波を受信しておくことで、移動先で受信可能なチャンネルをより短時間で受信することができる。
【００５９】
また、本実施形態に係る携帯電話機１０によれば、メインチューナ１１での受信レベルが所定の閾値以下になって初めてサブチューナ１６により放送波が受信される。言い換えれば、切替後のチャンネルに対応する放送波を予め受信しておく必要が生じたときに、サブチューナ１６によって放送波が受信される。これにより、サブチューナ１６による放送波の受信の時期を適切に設定することが可能になり、携帯電話機１０の消費電力を低減することができる。
【００６０】
また、本実施形態に係る携帯電話機１０によれば、メインチューナ１１により受信された放送波から地域情報が取得され、その地域情報に対応する隣接地域系列情報が抽出される。そして、サブチューナ１６は、その隣接地域系列情報が示す系列の放送波を受信する。これにより、サブチューナ１６が受信しようとする放送波に対応する系列の候補を予め隣接地域で受信可能なものに絞り込むことができるので、サブチューナ１６が受信しようとする系列をより早く決定することが可能になる。その結果、移動先で受信可能なチャンネルをより短時間で受信することができる。
【００６１】
また、本実施形態に係る携帯電話機１０によれば、メインチューナ１１での受信レベルがサブチューナ１６での受信レベル以下になった場合に番組の出力が切り替えられる。これにより、メインチューナ１１及びサブチューナ１６のうち受信レベルが高い方、すなわち受信する放送波の品質が良い方のチャンネルを動的に選択することが可能となるので、携帯電話機１０周辺の電波環境などに応じて、番組を一定以上の品質で携帯電話機１０の使用者に提供することができる。
【００６２】
また、本実施形態に係る携帯電話機１０によれば、番組の出力が切り替えられると、メインチューナ１１による放送波の受信が中断される。これにより、メインチューナ１１が放送波を処理するために消費する電力が節約されるので、携帯電話機１０の消費電力を低減することが可能になる。
【００６３】
また、本実施形態に係る携帯電話機１０によれば、決定されたチャンネルに対応するチャンネル情報に基づいて、一又は複数のチャンネルリストからそのチャンネル情報を含むチャンネルリストが抽出され、そのチャンネルリストが現在受信可能なチャンネルリストと決定される。これにより、移動先に対応するチャンネルリストをデフォルトのものとして設定することが可能になるので、携帯電話機１０の使用者は、移動先のチャンネルリストに基づいて簡単に選局することができる。
【００６４】
以上、本発明をその実施形態に基づいて詳細に説明した。しかし、本発明は上記実施形態に限定されるものではない。本発明は、その要旨を逸脱しない範囲で以下のような様々な変形が可能である。
【００６５】
上記実施形態では、メインチューナ１１での受信レベルがサブチューナ１６での受信レベル以下になったときに番組出力切替部１８が番組の出力を切り替えたが、この切替の時期は限定されるものではない。例えば、メインチューナ１１での受信レベルが所定の固定値以下になった場合にチャンネルを切り替えてもよい。
【００６６】
また、上記実施形態では、メインチューナ１１での受信レベルが所定の閾値以下になった場合にサブチューナ１６が放送波を受信したが、サブチューナ１６が放送波を受信し始める時期はこれに限定されない。例えば、サブチューナ１６は、番組の出力の切替に備えて常に放送波を受信してもよい。
【００６７】
また、上記実施形態では、サブチューナ１６が隣接地域系列情報抽出部１５から入力された隣接地域系列情報に基づいてチャンネルを選局したが、サブチューナ１６による選局の方法はこれに限定されない。例えば、サブチューナ１６がメインチューナ１１により復号された信号から系列ＩＤを取得し、その系列ＩＤに対応する物理チャンネルをチャンネルリスト格納部１９から抽出し、抽出された物理チャンネルを選局するようにしてもよい。
【００６８】
上記実施形態では、通信端末として携帯電話機１０を用いたが、簡易型携帯電話機（ＰＨＳ：Personal Handy-phone System）、あるいは、携帯型情報端末（ＰＤＡ：Personal Digital Assistant）などを通信端末として利用してもよい。
【００６９】
上記実施形態では、メインチューナ１１及びサブチューナ１６がテレビ放送の放送波を受信したが、ラジオ放送の放送波などを受信してもよい。
【図面の簡単な説明】
【００７０】
【図１】実施形態に係る携帯電話機の機能構成を示す図である。
【図２】隣接地域テーブルを示す図である。
【図３】系列テーブルを示す図である。
【図４】チャンネルリストの例を示す図である。
【図５】図１に示す携帯電話機の動作を示すフローチャートである。
【図６】図５に示すサブチューナ選局処理の詳細を示すフローチャートである。
【図７】図５に示すチャンネルリスト切替処理の詳細を示すフローチャートである。
【符号の説明】
【００７１】
１０…携帯電話機（通信端末）、１１…メインチューナ（第１選局手段）、１３…メインチューナ用検出部（第１選局用検出手段）、１４…系列情報格納部（系列情報格納手段）、１５…隣接地域系列情報抽出部（抽出手段）、１６…サブチューナ（第２選局手段）、１７…サブチューナ用検出部（第２選局用検出手段）、１８…番組出力切替部（切替手段）、１９…チャンネルリスト格納部（リスト格納手段）、２０…チャンネルリスト決定部（リスト決定手段）。
【図１】
2008172530.tif 000003
【図２】
2008172530.tif 000004
【図３】
2008172530.tif 000005
【図４】
2008172530.tif 000006
【図５】
2008172530.tif 000007
【図６】
2008172530.tif 000008
【図７】
2008172530.tif 000009